Podtech/llm-jp-corpus-v4-ja_patent huggingface dataset:
【手続補正書】
【提出日】令和3年3月31日(2021.3.31)
【手続補正１】
【補正対象書類名】特許請求の範囲
【補正対象項目名】請求項１
【補正方法】変更
【補正の内容】
【請求項１】
開口を有するドレープであって、前記開口以外の前記ドレープを通る液体および空気の移動を妨げる可撓性材料から作られる前記ドレープと、
前記ドレープによってカバーされるウィッキング要素と、
前記ウィッキング要素を囲み皮膚に固着されると前記ドレープと協働するシーリング材であって、該ドレープによってカバーされ前記シーリング材によって囲まれる密閉空間を、該密閉空間の空気が前記開口以外から前記密閉空間を出るのを妨げられるように画定するシーリング材と、
空気中のガスと反応して該ガスを消費するように構成された反応器と、
前記開口を介して前記反応器及び前記密閉空間と流体連通関係にあるチェインバであって、前記ガスが前記密閉空間から消費される間、予め定められたチェインバ容積を維持するように構成されたチェインバを具える、
負圧装置。
【手続補正２】
【補正対象書類名】特許請求の範囲
【補正対象項目名】請求項１２
【補正方法】変更
【補正の内容】
【請求項１２】
組織部位を治療する方法であって、
前記組織部位を囲む皮膚にドレープを固着させ、ウィッキング要素をカバーすることを含み、前記ドレープが開口を具え、前記開口以外の前記ドレープを通る液体および空気の移動を妨げる可撓性材料から作られ、
前記ドレープと協働してシーリング材で前記組織部位の周りを密閉し、前記ドレープによってカバーされ、前記シーリング材によって囲まれた密閉空間を画定し、
空気中のガスと反応して該ガスを消費するように構成された反応器を設け、
前記反応器および前記密閉空間と流体連通関係なるようにチェインバを接続することを含み、該チェインバが、前記反応器が前記密閉空間の前記ガスを消費する間、予め定められたチェインバ容積を維持するように構成されることを含む、
方法。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
吸収性繊維材料を含む第１層であって、前記第１層は第１の面及び前記第１の面と反対側の第２の面を有し、前記第１の面は使用時に適用領域に面するようになされた第１層と、
吸収性材料を含む第２層であって、前記第１層の前記第２の面に配置された第２層と、
を含み、
前記第１層全体を通してその前記第１の面から前記第２の面まで、及びさらに前記第２層の少なくとも一部の中へと、複数の流路が延長し、前記流路は０．０１ｍｍ〜３．００ｍｍの平均直径を有する、複合材料。
【請求項２】
前記繊維材料は水と接触された場合にヒドロゲルを形成することができる、請求項１に記載の複合材料。
【請求項３】
前記第２層は前記第１層の前記第２の面の少なくとも一部と直に物理的に接触している、請求項１又は２に記載の複合材料。
【請求項４】
前記複合材料はさらに、前記第１層と前記第２層との間の境界面に接着性材料を含む、請求項１又は２に記載の複合材料。
【請求項５】
吸収性材料を含む前記第２層は親水性発泡体を含むか又はそれである、請求項１〜４のいずれか１項に記載の複合材料。
【請求項６】
吸収性材料を含む前記第２層はポリウレタンフォームを含むか又はそれである、請求項１〜５のいずれか１項に記載の複合材料。
【請求項７】
前記流路は、前記第１層及び前記第２層及びそれら２つの層の間の境界面に対して実質的に直角に配置される、請求項１〜６のいずれか１項に記載の複合材料。
【請求項８】
前記第１層の前記第１の面の全面積の少なくとも２０％において流路が存在しない、請求項１〜７のいずれか１項に記載の複合材料。
【請求項９】
前記流路はパターン状に配置されている、請求項１〜８のいずれか１項に記載の複合材料。
【請求項１０】
前記第１層は少なくとも５０％の流体保持能力を有し、前記流体保持能力は、ＥＮ１３７２６−１：２００２に従い最初に０．９重量％生理食塩水の最大量を吸収させて４０ｍｍＨｇの圧力に２分間曝した場合に、生理食塩水を保持する能力として定義される、請求項１〜９のいずれか１項に記載の複合材料。
【請求項１１】
前記流路の少なくとも一部はその長さに沿って変化する直径を有し、及び／又は流路の少なくとも１つのサブセットは流路の別のサブセットの直径とは異なる直径を有する、請求項１〜１０のいずれか１項に記載の複合材料。
【請求項１２】
前記第１層の前記第１の面の全面積当たりの流路の面積密度は、１平方センチメートル当たり０．５流路〜１平方センチメートル当たり２００流路である、請求項１〜１１のいずれか１項に記載の複合材料。
【請求項１３】
前記第１層は不織布材料であるか又はそれを含む、請求項１〜１２のいずれか１項に記載の複合材料。
【請求項１４】
前記吸収性繊維材料は、ポリビニルアルコール、ポリ多糖類、及びポリアクリル酸類からなる群から選択される少なくとも１つのポリマーであるか又はそれを含む、請求項１〜１３のいずれか１項に記載の複合材料。
【請求項１５】
前記繊維材料は、架橋ポリビニルアルコール又はカルボキシメチルセルロースであるか又はそれを含む、請求項１〜１４のいずれか１項に記載の複合材料。
【請求項１６】
請求項１〜１５のいずれか１項に記載の複合材料を含む、医療用被覆体。
【請求項１７】
前記医療用被覆体はさらに、前記第２層を覆うバッキング層、並びに／又は前記医療用被覆体を創傷部位及び／若しくは創傷周辺領域に接着するための接着剤層若しくはコーティングを含む、請求項１６に記載の医療用被覆体。
【請求項１８】
請求項１〜１５のいずれか１項に記載の複合材料を製造するための方法であって、
（ｉ）吸収性繊維材料を含む第１層を提供する工程であって、前記第１層は第１の面及び前記第１の面と反対側の第２の面を有し、前記第１の面は使用時に適用領域に面するようになされる、工程と、
（ｉｉ）前記第１層の前記第２の面に、吸収性材料を含む第２層を提供する工程と、
（ｉｉｉ）前記第１層の全体を通って前記第１の面から前記第２の面まで延長し、及び第２層の少なくとも一部の中へとさらに延長する複数の流路を作製する工程であって、前記流路は０．０１ｍｍ〜３．００ｍｍの平均直径を有する工程と、を含む方法。
【請求項１９】
請求項１〜１５のいずれか１項に記載の複合材料の医療用被覆体として又は医療用被覆体における使用。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
医療流体を患者に送達するための送達デバイスであって、
前記医療流体で少なくとも部分的に充填された容器を受け入れるように構成されたハウジングと、
投薬手順において前記医療流体を前記容器から前記患者に送達するように構成された、前記ハウジングに関連付けられた駆動機構と、
前記投薬手順の特性および前記医療流体の特性の少なくとも１つを検出するように構成されたモジュールであって、
前記容器内のストッパの位置に基づいて前記投薬手順の開始、進行、および完了を検出するように構成された少なくとも１つの用量検出センサと、
前記容器の温度に基づいて前記容器内の前記医療流体の温度を測定するように構成された少なくとも１つの温度センサと
を備える、モジュールと
を備える送達デバイス。
【請求項２】
時間の関数として前記ストッパの前記位置の変化を検出することに基づいて、前記少なくとも１つの用量検出センサは、前記医療流体の前記患者への送達速度を測定するように構成される請求項１に記載の送達デバイス。
【請求項３】
前記モジュールは、前記少なくとも１つの用量検出センサによって測定された前記医療流体の前記送達速度が最小しきい値を下回るか、または最大しきい値を上回る場合に前記駆動機構を停止するように構成される請求項２に記載の送達デバイス。
【請求項４】
前記少なくとも１つの用量検出センサの出力は、少なくとも１つの温度センサの出力の関数である請求項１に記載の送達デバイス。
【請求項５】
前記少なくとも１つの用量検出センサは、前記容器内の前記医療流体の実際のボリュームを検出するか、または前記容器内の前記ストッパの前記位置に基づいて前記容器内の前記医療流体のボリュームを推定するように構成された光学センサアレイである請求項１に記載の送達デバイス。
【請求項６】
前記光学センサレイは、赤外スペクトラル内の電磁エネルギーを放射するように構成された１つまたは複数の赤外線放射器と、前記赤外スペクトラル内の電磁エネルギーを検出するように構成された１つまたは複数の赤外線検出器とを備える請求項５に記載の送達デバイス。
【請求項７】
前記医療流体の前記温度は、前記送達デバイスの前記ハウジングの外側の周囲環境温度および前記送達デバイスの前記ハウジング内のローカル温度の関数である請求項１に記載の送達デバイス。
【請求項８】
前記モジュールは、前記容器内の前記医療流体の温度が最小しきい値を下回るか、または最大しきい値を上回る場合に前記駆動機構の作動を防止するように構成される請求項１に記載の送達デバイス。
【請求項９】
前記モジュールは、前記投薬手順の前記開始を検出するように構成された少なくとも１つの起動検出スイッチと、前記投薬手順の前記完了を検出するように構成された少なくとも１つの完了検出スイッチとをさらに備える請求項１に記載の送達デバイス。
【請求項１０】
前記少なくとも１つの起動検出スイッチは、前記駆動機構の少なくとも１つの構成要素の位置および速度の少なくとも１つを検出するように構成され、前記少なくとも１つの完了検出スイッチは、前記駆動機構の少なくとも１つの構成要素の位置および速度の少なくとも１つを検出するように構成される請求項９に記載の送達デバイス。
【請求項１１】
前記少なくとも１つの起動検出スイッチは、前記駆動機構の少なくとも１つの構成要素と物理的に直接接触する機械的センサであるか、または前記駆動機構の少なくとも１つの構成要素と物理的に直接接触しない光学センサである請求項９に記載の送達デバイス。
【請求項１２】
前記少なくとも１つの完了検出スイッチは、前記駆動機構の少なくとも１つの構成要素と物理的に直接接触する機械的センサであるか、または前記駆動機構の少なくとも１つの構成要素と物理的に直接接触しない光学センサである請求項９に記載の送達デバイス。
【請求項１３】
前記モジュールは、有線接続、無線接続、または前記有線接続および前記無線接続の組み合わせを介して遠隔デバイスと外部通信するように構成された通信要素をさらに備える請求項１に記載の送達デバイス。
【請求項１４】
前記通信要素は、前記遠隔デバイスに情報を送るか、もしくは前記遠隔デバイスから情報を受け入れるように構成された一方向通信要素であるか、または前記遠隔デバイスに情報を送り、前記遠隔デバイスから情報を受け入れるように構成された２方向通信要素である請求項１３に記載の送達デバイス。
【請求項１５】
前記遠隔デバイスは、前記送達デバイスを使用するための文脈的命令、前記投薬手順についての安全プロトコル情報、前記投薬手順の少なくとも１つの段階の状況表示の少なくとも１つを提供するように構成される請求項１３に記載の送達デバイス。
【請求項１６】
前記モジュールは、前記投薬手順の状態についての情報および作動命令の少なくとも１つをユーザに提供するように構成された１つまたは複数のインジケータをさらに備える請求項１に記載の送達デバイス。
【請求項１７】
前記１つまたは複数のインジケータは、少なくとも１つのライトを有する少なくとも１つの視覚インジケータを備える請求項１６に記載の送達デバイス。
【請求項１８】
前記少なくとも１つのライトは、定常状態およびフラッシング作動の少なくとも１つに合わせて構成された単色または多色発光ダイオードである請求項１７に記載の送達デバイス。
【請求項１９】
前記１つまたは複数のインジケータは、可聴メッセージをユーザに送達するように構成された少なくとも１つの可聴インジケータを備える請求項１６に記載の送達デバイス。
【請求項２０】
前記ハウジングに取り外し可能に連結可能なカバーをさらに備え、前記モジュールは、前記カバーに連結される請求項１に記載の送達デバイス。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
頭皮脳波シグナルから病理学的脳活動パターンを検出するためのシステムであって、前記システムは以下のような処理を実行するデータ処理部：
（ａ）多重チャネルおよび時間の関数として、脳波シグナルを取得する処理ａ；
（ｂ）各チャネルに関し、一定の閾値を超える前記脳波シグナルのゼロ交差を特定する処理ｂ；
（ｃ）取得された前記脳波シグナルの少なくともセグメントについて、特定された前記ゼロ交差を用いてゼロ交差表現を生成する処理ｃ；
（ｄ）予め記録した脳波シグナルのゼロ交差表現のゼロ交差統計解析から時間およびチャネルの基準実関数ファミリーを取得する処理ｄ；
（ｅ）前記基準実関数ファミリー由来の少なくとも１つの基準関数と、前記脳波シグナルのセグメントの前記ゼロ交差表現を比較することにより、マッチングスコアを計算する処理ｅ；および
（ｆ）前記脳波シグナルに対し、前記基準実関数ファミリー由来の前記少なくとも１つの基準関数をスライドすることにより、前記マッチングスコアを時間の関数としてコンピュータ計算する処理ｆ、
を備えるシステム。
【請求項２】
前記データ処理部はゼロ交差を特定する前記処理ｂよりも前に、ゼロ位相シフト帯域フィルターを用いて前記脳波シグナルをフィルタリングする処理Ｂを実行するように構成される、請求項１に記載のシステム。
【請求項３】
前記データ処理部はフィルタリングした前記脳波シグナルを一定の長さの非オーバーラップ連続セグメントに分割するように構成される、請求項２に記載のシステム。
【請求項４】
前記データ処理部は前記マッチングスコアを評価するようにさらに構成される、請求項１〜３のいずれか一項に記載のシステム。
【請求項５】
ｔ０を中心とする１つの基準関数Ｔに対する脳波セグメントのゼロ交差表現と前記マッチングスコアＳｔ（ｔ０）が関連し、前記マッチングスコアＳｔ（ｔ０）は以下式：
2020512860.tif 000001
によって特定され、
式中、第１の合計は、解析チャネルセット
2020512860.tif 000002
に対し実行され、第２の合計はｔ０の周りの前記脳波セグメントの各チャネル
2020512860.tif 000003
に対するゼロ交差の定義されたサブセット
2020512860.tif 000004
に対して実行される、請求項１〜４のいずれか一項に記載のシステム。
【請求項６】
前記マッチングスコアは、１つの基準実関数ファミリーに属する関数セットに対し計算することによって、任意の所与のｔ０に対し、それぞれにインデックス付けしたマッチングスコアセットを生成する、請求項５に記載のシステム。
【請求項７】
前記マッチングスコアは、基準実関数ファミリーに連続的にインデックス付けするように計算することによって、任意の所与のｔ０に対する連続的なマッチングスコア関数となる、請求項５に記載のシステム。
【請求項８】
前記マッチングスコアは、２つの異なる基準関数ファミリーに由来する２つの基準関数に対して計算される、請求項１〜７のいずれか一項に記載のシステム。
【請求項９】
前記マッチングスコアを評価するために、前記データ処理部は、前記マッチングスコアを所定の閾値と比較する等、前記マッチングスコアに２値判定基準を設定するように構成される、請求項４〜８のいずれか一項に記載のシステム。
【請求項１０】
以下のような処理をさらに実行するデータ処理部：
少なくとも１つの頭皮脳波シグナルの記録および少なくとも１つの所定の長さの頭蓋内脳波シグナルの記録を同時に取得する処理；
取得された前記記録の少なくとも１つの特徴に関して、少なくとも１つの頭皮脳波シグナルの前記ゼロ交差を統計解析する処理；および
前記統計解析由来の前記基準実関数ファミリーをコンピュータ計算する処理、
を備える、請求項１〜９のいずれか一項に記載のシステム。
【請求項１１】
以下のような処理をさらに実行するデータ処理部：
所定の長さの少なくとも１つの頭皮脳波シグナルの記録を取得する処理；および
取得された前記脳波シグナルの記録の特性に基づいて、数学的関数のパラメータを最適化することにより、前記基準実関数ファミリーを導出する処理、
を備える、請求項１〜９のいずれか一項に記載のシステム。
【請求項１２】
病理学的脳活動パターンを検出するためのコンピュータプログラム製品であって、コンピュータによってプログラムが実行された場合に、以下のステップを含む頭皮脳波シグナル由来の脳活動パターンを検出するための方法を実行する指示を備える：
（ａ）多重チャネルおよび時間の関数として脳波シグナルを取得するステップａ；
（ｂ）各々のチャネルに対し、所定の閾値を超える前記脳波シグナルのゼロ交差を特定するステップｂ；
（ｃ）特定した前記ゼロ交差を用いて、少なくとも取得した前記脳波シグナルのセグメントのゼロ交差表現を生成するステップｃ；
（ｄ）予め記録しておいた脳波シグナルのゼロ交差表現をゼロ交差統計解析することにより、時間およびチャネルの基準実関数ファミリーを取得するステップｄ；
（ｅ）前記基準実関数ファミリー由来の少なくとも１つの基準関数と前記脳波シグナルのセグメントの前記ゼロ交差表現を比較することにより、マッチングスコアを計算するステップｅ；および
（ｆ）前記脳波シグナルに対し、前記基準実関数ファミリー由来の前記少なくとも１つの基準関数をスライドすることにより、前記マッチングスコアを時間の関数としてコンピュータ計算するステップｆ、
ことを特徴とする、コンピュータプログラム製品。
【請求項１３】
指示を記録したコンピュータ可読記憶媒体であって、コンピュータによってプログラムが実行された場合に、前記指示に基づき以下のステップを含む頭皮脳波シグナル由来の脳活動パターンを検出するための方法を前記コンピュータが実行する：
（ａ）多重チャネルおよび時間の関数として脳波シグナルを取得するステップａ；
（ｂ）各々のチャネルに対し、所定の閾値を超える前記脳波シグナルのゼロ交差を特定するステップｂ；
（ｃ）特定した前記ゼロ交差を用いて、少なくとも取得した前記脳波シグナルのセグメントのゼロ交差表現を生成するステップｃ；
（ｄ）予め記録しておいた脳波シグナルのゼロ交差表現をゼロ交差統計解析することにより、時間およびチャネルの基準実関数ファミリーを取得するステップｄ；
（ｅ）前記基準実関数ファミリー由来の少なくとも１つの基準関数と前記脳波シグナルのセグメントの前記ゼロ交差表現を比較することにより、マッチングスコアを計算するステップｅ；および
（ｆ）前記脳波シグナルに対し、前記基準実関数ファミリー由来の前記少なくとも１つの基準関数をスライドすることにより、前記マッチングスコアを時間の関数としてコンピュータ計算するステップｆ、
ことを特徴とする、コンピュータ可読記憶媒体。
【請求項１４】
少なくとも１つの基準実関数ファミリーを備える、請求項１３に記載のコンピュータ可読記憶媒体。
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
端部を有する装置本体と、
前記装置本体に流体連通し、該装置本体の端部から延びるコネクタであって、該コネクタの外面が、前記コネクタの結合型式の指標である目に見え触感のある特徴を含むコネクタと、
を含む医療機器。
【請求項２】
前記結合型式は、前記コネクタの内面により画定される請求項１に記載の医療機器。
【請求項３】
前記内面は、滑らかであり、前記目に見え触感のある特徴は、シリンジの長手方向の軸線に対して実質的に平行である１以上の溝、または、突起であり、前記結合型式は、スリップ式接続である請求項２に記載の医療機器。
【請求項４】
前記内面はねじ山を含み、前記目に見え触感のある特徴は、前記端部の端に対して零を超える角度に傾き螺旋形となる１以上の溝、または、突起であり、前記結合型式は、ロック式接続である請求項２に記載の医療機器。
【請求項５】
前記コネクタは、ニードルハブ、フィルタ、および、アダプタのうちの少なくとも一つと係合可能である請求項１に記載の医療機器。
【請求項６】
前記コネクタは、不透明な材料である請求項１に記載の医療機器。
【請求項７】
前記コネクタは、細長い先端の周囲に同軸状に配置されたカラーを含む請求項１に記載の医療機器。
【請求項８】
前記装置本体は、前記端部に末端壁を有するシリンジバレルであり、前記コネクタは、前記末端壁から延びる請求項１に記載の医療機器。
【請求項９】
末端壁を含む末端と、末端の先端と、開口基端と、前記末端と前記開口基端との間で延び小室を画定するバレル側壁とを有するシリンジバレルと、
前記末端壁で前記シリンジバレルから末端方向に延びるコネクタであって、前記コネクタの結合型式の指標である目に見え触感のある特徴を含むコネクタと、
を含むシリンジ。
【請求項１０】
前記コネクタは、前記末端の先端と流体連通する細長い先端の周囲に同軸状に配置されたカラーと、前記細長い先端と前記カラーとの間に形成される溝と、前記目に見え触感のある特徴を含む前記カラーの外面と、を含む請求項９に記載のシリンジ。
【請求項１１】
前記コネクタは、不透明な材料である請求項９に記載のシリンジ。
【請求項１２】
前記コネクタは、テーパ角５％を含む請求項９に記載のシリンジ。
【請求項１３】
前記コネクタは、国際標準機構規格ＩＳＯ８０３６９−６（２０１６）に準拠する請求項９に記載のシリンジ。
【請求項１４】
前記目に見え触感のある特徴は、ニードルハブ、フィルタ、および、アダプタのうちの少なくとも一つを前記コネクタに係合させるための挿入の動きを暗に示すのに有効である請求項９に記載のシリンジ。
【請求項１５】
前記目に見え触感のある特徴は、前記シリンジの長手方向の軸線に対して実質的に平行である１以上の溝、または、突起である請求項１４に記載のシリンジ。
【請求項１６】
前記結合型式は、スリップ式接続である請求項１５に記載のシリンジ。
【請求項１７】
前記目に見え触感のある特徴は、前記末端壁の端部に対して零を超える角度に傾き、螺旋形となる１以上の溝もしくは突起である請求項９に記載のシリンジ。
【請求項１８】
前記コネクタは、前記末端壁の端部に対して零を超える角度に傾き螺旋形となる１以上の内側のねじ山を含む請求項１７に記載のシリンジ。
【請求項１９】
前記結合型式は、ロック式接続である請求項１８に記載のシリンジ。
【請求項２０】
前記シリンジバレルは、ガラス材料である請求項９に記載のシリンジ。
【請求項２１】
前記シリンジバレルは、ポリマー材料である請求項９に記載のシリンジ。
【請求項２２】
末端壁を含む末端と、末端の先端と、開口基端と、前記末端と前記開口基端との間で延び小室を画定するバレル側壁を有するシリンジバレルと、
前記末端壁で前記シリンジバレルから末端方向に延びるコネクタであって、前記末端の先端と流体連通する細長い先端の周囲に同軸状に配置されるカラーと、前記細長い先端と前記カラーとの間に形成される溝とを含み、前記カラーは、内面および外面と、前記カラーの前記外面に目に見え触感のある特徴と、を含むコネクタと、含むシリンジ。
【請求項２３】
前記カラーは、金属材料であり、シリンジカラー接合部をさらに含み、
前記シリンジバレルは、ガラス材料であり、前記シリンジカラー接合部が接続される末端壁の延在部をさらに含む請求項２２に記載のシリンジ。
【請求項２４】
前記カラーおよび前記シリンジバレルは、双方、ポリマー材料であり、前記カラーは、前記シリンジバレルと一体に形成される請求項２２に記載のシリンジ。
【請求項２５】
前記カラーは、テーパ角５％を含む請求項２２に記載のシリンジ。
【請求項２６】
前記カラーは、国際標準機構規格ＩＳＯ８０３６９−６（２０１６）に準拠する請求項２２に記載のシリンジ。
【請求項２７】
前記目に見え触感のある特徴は、ニードルハブ、フィルタ、およびアダプタのうちの少なくとも一つと前記コネクタを係合させるための挿入の動きを示すのに有効である請求項２２に記載のシリンジ。
【請求項２８】
前記目に見え触感のある特徴は、前記シリンジの長手方向の軸線に対して実質的に平行である１以上の溝、または、突起であり、前記結合型式は、スリップ式接続である請求項２３に記載のシリンジ。
【請求項２９】
前記目に見え触感のある特徴は、前記末端壁の端部に対して零を超える角度に傾き、螺旋形となる１以上の溝、または、突起であり、前記カラーは、前記末端壁の端部に対して零を超える角度に傾き螺旋形となる１以上のねじ山を前記内面に含み、前記結合型式は、ロック式接続である請求項２３に記載のシリンジ。
【請求項３０】
医療機器の製造方法であって、
コネクタの結合型式の指標である目に見え触感のある特徴を含むコネクタを形成し、
前記医療機器の装置本体内に前記コネクタを合体させることを含む製造方法。
【請求項３１】
異なる結合型式の医療機器、即ち、シリンジ相互間を弁別する方法であって、
請求項１に記載の前記医療機器、即ち、前記シリンジを取得し、
前記目に見え触感のある特徴を視覚的に、および/または、触覚的に検査することを含む方法。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
（ｉ）第１のアデノ随伴ウイルス（ＡＡＶ）逆方向末端反復（ＩＴＲ）またはそのバリアントを含む第一領域；および
（ｉｉ）ＣＥＰ２９０タンパク質フラグメントをコードする導入遺伝子を含む第二領域、ここでＣＥＰ２９０タンパク質フラグメントは、配列番号１の１６９５〜１９６６の位置のアミノ酸を含まない、
を含む、単離された核酸。
【請求項２】
（ｉ）第１のアデノ随伴ウイルス（ＡＡＶ）逆方向末端反復（ＩＴＲ）、またはそのバリアントを含む第一領域；および
（ｉｉ）ＣＥＰ２９０タンパク質フラグメントをコードする導入遺伝子を含む第二領域、ここでＣＥＰ２９０タンパク質フラグメントは、配列番号１の少なくとも５００個の連続したアミノ酸を含む、
を含む、単離された核酸。
【請求項３】
第二領域が、配列番号１の１６９５〜１９６６のアミノ酸を含まない、請求項２に記載の単離された核酸。
【請求項４】
ＣＥＰ２９０タンパク質フラグメントが、配列番号１の１１２０個以下の連続したアミノ酸を含む、請求項２または３に記載の単離された核酸。
【請求項５】
ＣＥＰ２９０タンパク質フラグメントが、配列番号１の５８０〜１６９５の位置のアミノ酸を含む、請求項２〜４のいずれか一項に記載の単離された核酸。
【請求項６】
導入遺伝子によりコードされるＣＥＰ２９０タンパク質フラグメントが、配列番号２に記載の配列を含むか、または配列番号２に記載の配列からなる、請求項５に記載の単離された核酸。
【請求項７】
導入遺伝子によりコードされるＣＥＰ２９０タンパク質フラグメントが、配列番号１の５８０〜１１８０、または配列番号１の１１８１〜１６９５の位置のアミノ酸を含むか、または配列番号１の５８０〜１１８０、または配列番号１の１１８１〜１６９５の位置のアミノ酸からなる、請求項５に記載の単離された核酸。
【請求項８】
導入遺伝子によりコードされるＣＥＰ２９０タンパク質フラグメントが、配列番号３または４に記載の配列を含むか、または配列番号３または４に記載の配列からなる、請求項７に記載の単離された核酸。
【請求項９】
少なくとも５００個の連続したアミノ酸が、配列番号５、６および７から選択される配列を含む核酸か、または配列番号５、６および７から選択される配列からなる核酸によりコードされる、請求項２〜８のいずれか一項に記載の単離された核酸。
【請求項１０】
導入遺伝子が、プロモーターをさらに含む、請求項１〜９のいずれか一項に記載の単離された核酸。
【請求項１１】
プロモーターが、ニワトリベータ−アクチン（ＣＢＡ）プロモーターであるかまたは組織特異的プロモーターである、請求項１０に記載の単離された核酸。
【請求項１２】
組織特異的プロモーターが、目特異的プロモーター、任意にレチノスキシンプロモーター、Ｋ１２プロモーター、ロドプシンプロモーター、桿体特異的プロモーター、錐体特異的プロモーター、ロドプシンキナーゼプロモーター（ＧＲＫ１プロモーターなど）、または光受容器間レチノイド結合タンパク質近位（ＩＲＢＰ）プロモーターである、請求項１１に記載の単離された核酸。
【請求項１３】
第２のアデノ随伴ウイルス（ＡＡＶ）逆方向末端反復（ＩＴＲ）、またはそのバリアントを含む第三領域をさらに含む、請求項２〜１２のいずれか一項に記載の単離された核酸。
【請求項１４】
第一領域および／または第三領域がＡＡＶ２ＩＴＲまたはそのバリアントである、請求項２〜１３のいずれか一項に記載の単離された核酸。
【請求項１５】
請求項１〜１４のいずれか一項に記載の単離された核酸を含むベクター。
【請求項１６】
ベクターがプラスミドである、請求項１５に記載のベクター。
【請求項１７】
請求項１〜１４のいずれか一項に記載の単離された核酸、または請求項１５または１６に記載のベクターを含む宿主細胞。
【請求項１８】
（ｉ）カプシドタンパク質；および、
（ｉｉ）請求項１〜１４のいずれか一項に記載の単離された核酸
を含む、組換えアデノ随伴ウイルス（ｒＡＡＶ）。
【請求項１９】
カプシドタンパク質が、ＡＡＶ８カプシドタンパク質またはＡＡＶ５カプシドタンパク質である、請求項１８に記載のｒＡＡＶ。
【請求項２０】
カプシドタンパク質が、配列番号９に記載の配列を含む、請求項１８または１９に記載のｒＡＡＶ。
【請求項２１】
ｒＡＡＶが自己相補的なＡＡＶ（ｓｃＡＡＶ）である、請求項１８〜２０のいずれか一項に記載のｒＡＡＶ。
【請求項２２】
ｒＡＡＶが、目への送達のために製剤化されている、請求項１８〜２１のいずれか一項に記載のｒＡＡＶ。
【請求項２３】
請求項１８〜２２のいずれか一項に記載のｒＡＡＶ、および薬学的に許容し得る賦形剤を含む組成物。
【請求項２４】
対象において眼の繊毛関連疾患を処置するための組成物であって、請求項１〜１４のいずれか一項に記載の単離された核酸、または請求項１８〜２２のいずれか一項に記載のｒＡＡＶの治療有効量を含む前記組成物。
【請求項２５】
眼の繊毛関連疾患が、対象におけるＣＥＰ２９０遺伝子の突然変異または対象におけるＣＥＰ２９０遺伝子の欠失に関連する、請求項２４に記載の組成物。
【請求項２６】
ＣＥＰ２９０の突然変異または欠失が、網膜変性症、光受容体の変性、網膜の機能障害、および／または視力の喪失をもたらす、請求項２５に記載の組成物。
【請求項２７】
眼の繊毛関連疾患が、レーバー先天黒内障（ＬＣＡ）、ジュベール症候群、バルデ・ビードル症候群、メッケル・グルーバー症候群、アッシャー症候群、ネフロン癆、またはセニオール・ローケン症候群である、請求項２４〜２６のいずれか一項に記載の組成物。
【請求項２８】
眼の繊毛関連疾患が、レーバー先天黒内障（ＬＣＡ）である、請求項２７に記載の組成物。
【請求項２９】
ＣＥＰ２９０遺伝子における突然変異が、イントロンの突然変異、ナンセンス変異、フレームシフト変異、ミスセンス変異、またはそのいずれかの組み合わせである、請求項２５〜２８のいずれか一項に記載の組成物。
【請求項３０】
対象がヒトであり、突然変異がc.2991+1655の位置で生じており、任意に突然変異がＡ１６５５Ｇである、請求項２８に記載の組成物。
【請求項３１】
組成物の投与が、対象の目への単離された核酸またはｒＡＡＶの送達をもたらす、請求項２４〜３０のいずれか一項に記載の組成物。
【請求項３２】
注射、任意に網膜下注射または硝子体内注射を介して投与される、請求項２４〜３１のいずれか一項に記載の組成物。
【請求項３３】
対象の目への局所投与により投与される、請求項２４〜３１のいずれか一項に記載の組成物。
【請求項３４】
有効量が、最長４週間、光受容体（ＰＲ）機能（例として、ＥＲＧにより測定されるようなもの）をもたらす、請求項２４〜３３のいずれか一項に記載の組成物。
【請求項３５】
有効量が、請求項１８〜２２のいずれか一項に記載のｒＡＡＶを、８．０ｘ１０９ゲノムコピーを超えて含まない、請求項２４〜３４のいずれか一項に記載の組成物。
【手続補正書】
【提出日】令和3年4月5日(2021.4.5)
【手続補正１】
【補正対象書類名】特許請求の範囲
【補正対象項目名】全文
【補正方法】変更
【補正の内容】
【特許請求の範囲】
【請求項１】
原核生物のベクターを含む非病原性細菌であって、該ベクターが、１以上の治療的核酸をコードするＤＮＡ分子及び前記治療的核酸の転写を制御する原核生物のプロモーターを含み、前記細菌は、１以上の遺伝子又は遺伝子フラグメントを細菌内にクローニングすることで、減少された治療的核酸分解表現型を示し、前記治療的核酸の目的の効果又は活性の安定性、大きさ、又は持続期間を増加させるように操作された侵入性の生物界間の細菌であることを特徴とする、非病原性細菌。
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
腎臓疾患を患っているかまたは発症するリスクがある対象を治療する医薬であって、前記医薬は前記対象の腎臓に投与されるものであり、治療有効量でストロマ細胞由来因子１（ＳＤＦ−１）を含む、医薬。
【請求項２】
前記腎臓疾患が、急性腎不全、慢性腎臓疾患、末期の腎疾患または貧血である、請求項１に記載の医薬。
【請求項３】
前記対象が、ヒト対象である、請求項１または請求項２に記載の医薬。
【請求項４】
前記対象が、非ヒト哺乳動物の対象である、請求項１または請求項２に記載の医薬。
【請求項５】
前記対象が、ネコ、イヌまたはウマである、請求項１または請求項２に記載の医薬。
【請求項６】
前記対象が、飼いネコである、請求項１または請求項２に記載の医薬。
【請求項７】
前記腎臓疾患が、慢性間質性腎炎である、請求項１から６のいずれか１項に記載の医薬。
【請求項８】
薬学的に許容される担体を更に含み、前記ＳＤＦ−１が前記薬学的に許容される担体中に提供されている、請求項１から７のいずれか１項に記載の医薬。
【請求項９】
前記薬学的に許容される担体が、無菌である（例えば、エンドトキシンフリーもしくはパイロジェンフリーの水、またはエンドトキシンフリーもしくはパイロジェンフリーの水の生理食塩水）、請求項８に記載の医薬。
【請求項１０】
前記投与が、前記腎臓へのＳＤＦ−１の直接投与によって行われるものである、請求項１から９のいずれか１項に記載の医薬。
【請求項１１】
前記直接投与が、前記腎臓組織上また中への注射によって行われるものである、請求項１０に記載の医薬。
【請求項１２】
前記直接投与が、前記腎臓組織中への注入によって行われるものである、請求項１０に記載の医薬。
【請求項１３】
前記直接投与が、前記腎臓上および／または中の複数の部位で行われるものである、請求項１１または請求項１２に記載の医薬。
【請求項１４】
前記直接投与が、中腎皮質中へのものである、請求項１１から１３のいずれか１項に記載の医薬。
【請求項１５】
前記投与が、前記腎臓の細胞破壊の減少および／または線維症の減少をもたらす、請求項１から１４のいずれか１項に記載の医薬。
【請求項１６】
前記ＳＤＦ−１が、哺乳動物のＳＤＦ−１である、請求項１から１５のいずれか１項に記載の医薬。
【請求項１７】
前記ＳＤＦ−１が、ヒトＳＤＦ−１αまたはヒトＳＤＦ−１βである、請求項１６に記載の医薬。
【請求項１８】
前記ＳＤＦ−１が、ネコＳＤＦ−１またはイヌＳＤＦ−１である、請求項１６に記載の医薬。
【請求項１９】
前記ＳＤＦ−１が、前記ＳＤＦ−１をコードする核酸ベクターとして含まれており、前記投与が、前記核酸ベクターを前記腎臓に注射することによって行われるものであり、これにより前記酢酸ベクターが前記コードされたＳＤＦ−１を発現する、請求項１から１８のいずれか１項に記載の医薬。
【請求項２０】
前記ベクターが、プラスミドベクターまたはウイルスベクターである、請求項１９に記載の医薬。
【請求項２１】
前記投与が、前記ＳＤＦ−１と組み合わせて血管新生増殖因子（例えば、血管内皮増殖因子（ＶＥＧＦ））を前記対象に投与するものである、請求項１から２０のいずれか１項に記載の医薬。
【請求項２２】
ＳＤＦ−１および水性担体を含む、腎臓疾患の治療のための無菌注射用組成物。
【請求項２３】
コラーゲンまたはゼラチンを含む、請求項２２に記載の無菌注射用組成物。
【請求項２４】
ＶＥＧＦをさらに含む、請求項２２または請求項２３に記載の無菌注射用組成物。
【請求項２５】
腎臓疾患を患っているかもしくは発症するリスクがある対象を治療する方法の実施における使用のための、または腎臓疾患を患っているかもしくは発症するリスクがある対象を治療する方法の実施のための医薬の調製における使用のための、本明細書に記載のＳＤＦ−１またはＳＤＦ−１をコードするベクター。
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2020512387.tif 000001
〔式中、Ｘは、酸素原子または結合手を示し；
Ｙ１およびＹ２は、それぞれ独立してＣＨまたはＮを示し；
Ｚは、置換されていてもよいアルキル基、置換されていてもよいアルコキシ基またはハロゲン原子を示し；
Ｗは、置換されていてもよいアルキル基、置換されていてもよいアルコキシ基、−ＮＲＷ１ＲＷ２、置換されていてもよいカルバモイル基、または置換されていてもよい環状基を示し；
ＲＷ１は、置換されていてもよいアルキル基またはアシル基を示し；
ＲＷ２は、水素原子または置換基を示し；
Ｌは、
【化２】
2020512387.tif 000002
を示し；
Ｒ１、Ｒ２およびＲ３は、それぞれ独立して、水素原子または置換基を示し；
Ｒ１とＲ２は、それぞれ隣接する炭素原子とともに結合して、さらに置換されていてもよい３ないし６員環を形成してもよい。〕
で表される化合物またはその塩。
【請求項２】
Ｚが、Ｃ１−６アルコキシ基であり；
Ｗが、
(1) １〜５個のハロゲン原子で置換されていてもよいＣ１−１０アルキル基、
(2) １〜５個のハロゲン原子で置換されていてもよいＣ１−１０アルコキシ基、
(3)(a) １〜５個のハロゲン原子で置換されていてもよいＣ１−６アルコキシ基、および
(b) ３ないし１４員非芳香族複素環基
から選ばれる１〜５個の置換基で置換されていてもよいＣ６−１４アリール基、
(4)(a) １〜５個のハロゲン原子で置換されていてもよいＣ１−６アルキル基、および
(b) １〜５個のハロゲン原子で置換されていてもよいＣ１−６アルコキシ基
から選ばれる１〜５個の置換基で置換されていてもよい５ないし１４員芳香族複素環基、(5) １〜５個のハロゲン原子で置換されていてもよいＣ１−６アルキル基から選ばれる１〜５個の置換基で置換されていてもよい３ないし１４員非芳香族複素環基、
(6)(a) Ｃ１−６アルキル基、および
(b) １〜５個のＣ１−６アルキル基で置換されていてもよい５ないし１４員芳香族複
素環基
から選ばれる置換基でモノ又はジ置換されていてもよいカルバモイル基、または
(7) １〜５個のハロゲン原子で置換されていてもよいＣ３−１０シクロアルキル基
であり；
Ｒ１が、水素原子またはＣ１−６アルキル基であり、Ｒ２およびＲ３が、水素原子である；
請求項１記載の化合物またはその塩。
【請求項３】
Ｘが、酸素原子または結合手であり；
Ｙ１が、ＣＨまたはＮであり；
Ｙ２が、Ｎであり；
Ｚが、Ｃ１−６アルコキシ基であり；
Ｗが、
(1) １〜５個のハロゲン原子で置換されていてもよいＣ１−６アルキル基、
(2) １〜５個のハロゲン原子で置換されていてもよいＣ１−６アルコキシ基、
(3) １〜５個のハロゲン原子で置換されていてもよいＣ１−６アルキル基から選ばれる１〜５個の置換基で置換されていてもよい３ないし１４員非芳香族複素環基、または
(4) １〜５個のハロゲン原子で置換されていてもよいＣ３−１０シクロアルキル基であり；
Ｌが、
【化３】
2020512387.tif 000003
であり；
Ｒ１、Ｒ２およびＲ３が、水素原子である；
請求項１記載の化合物またはその塩。
【請求項４】
(6-((1-(5-メトキシ-2-(3,3,3-トリフルオロプロピル)フェニル)ピペリジン-4-イル)メトキシ)-3,4-ジヒドロ-2H-ピラノ[2,3-c]ピリジン-4-イル)酢酸またはその塩。
【請求項５】
(6-((1-(2-メトキシ-5-(2,2,3,3,3-ペンタフルオロプロポキシ)ピリジン-4-イル)ピペ
リジン-4-イル)メトキシ)-3,4-ジヒドロ-2H-ピラノ[2,3-c]ピリジン-4-イル)酢酸または
その塩。
【請求項６】
(6-((1-(5-メトキシ-2-(1-(2,2,2-トリフルオロエチル)ピペリジン-4-イル)フェニル)
ピペリジン-4-イル)メトキシ)-3,4-ジヒドロ-2H-ピラノ[2,3-c]ピリジン-4-イル)酢酸ま
たはその塩。
【請求項７】
(6-((1-(2-(4,4-ジフルオロシクロヘキシル)-5-メトキシフェニル)ピペリジン-4-イル)メトキシ)-3,4-ジヒドロ-2H-ピラノ[2,3-c]ピリジン-4-イル)酢酸またはその塩。
【請求項８】
(6-((1-(2-メトキシ-5-(3,3,3-トリフルオロプロピル)ピリジン-4-イル)ピペリジン-4-イル)メトキシ)-3,4-ジヒドロ-2H-ピラノ[2,3-c]ピリジン-4-イル)酢酸またはその塩。
【請求項９】
(6-((1-(2-((2,2-ジメチルプロピル)(6-メチルピリジン-2-イル)カルバモイル)-5-メトキシフェニル)ピペリジン-4-イル)メトキシ)-3,4-ジヒドロ-2H-ピラノ[2,3-c]ピリジン-4-イル)酢酸またはその塩。
【請求項１０】
請求項１記載の化合物またはその塩を含有してなる医薬。
【請求項１１】
ＧＰＲ４０受容体機能調節剤である請求項１０記載の医薬。
【請求項１２】
糖尿病の予防または治療剤である請求項１０記載の医薬。
【請求項１３】
肥満症または糖尿病の予防・治療剤を製造するための、請求項１記載の化合物またはその塩の使用。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
直鎖炭化水素鎖に結合した抗体結合ペプチドを含む免疫両親媒性物質。
【請求項２】
前記抗体結合ペプチドが生理的ｐＨの水溶液中にあるときにα−ヘリックス構造を有する、請求項１に記載の免疫両親媒性物質。
【請求項３】
前記抗体結合ペプチドが黄色ブドウ球菌のプロテインＡのＺ３３ペプチドの親水性アミノ酸配列、またはその機能的部分もしくは断片もしくは誘導体を有する、請求項１に記載の免疫両親媒性物質。
【請求項４】
前記抗体結合ペプチドがアミノ酸配列ＦＮＭＱＱＱＲＲＦＹＥＡＬＨＤＰＮＬＮＥＥＱＲＮＡＫＩＫＳＩＲＤＤ（配列番号１）、またはその機能的部分もしくは断片もしくは誘導体を有する、請求項１に記載の免疫両親媒性物質。
【請求項５】
前記直鎖炭化水素鎖は、長さが約８から約２２個の炭素の少なくとも２つの炭化水素鎖を含む、請求項１に記載の免疫両親媒性物質。
【請求項６】
前記直鎖炭化水素鎖が、長さが約８個の炭素の少なくとも２つの炭化水素鎖を含む、請求項５に記載の免疫両親媒性物質。
【請求項７】
蛍光色素に結合される、請求項１に記載の免疫両親媒性物質。
【請求項８】
前記蛍光色素がローダミンＢである、請求項７に記載の免疫両親媒性物質。
【請求項９】
以下の工程を含む、抗体またはＦｃ融合タンパク質の精製方法：
ａ）請求項１〜８のいずれか一項に記載の免疫両親媒性物質を生理的ｐＨの水溶液に溶解させ、該免疫両親媒性物質が免疫繊維（ＩＦ）に自己集合するように一晩熟成させる工程；
ｂ）抗体またはＦｃ融合タンパク質を含む試料を前記ＩＦと混合し、これにより、前記ＩＦを抗体またはＦｃ融合タンパク質のＦｃ部分に結合させ、溶液中に免疫繊維−抗体複合体または免疫繊維−Ｆｃ融合タンパク質複合体を形成させる工程；
ｃ）塩を加えて遠心分離することにより、前記免疫繊維−抗体複合体または前記免疫繊維−Ｆｃ融合タンパク質複合体を溶液から分離する工程；ならびに
ｄ）前記ＩＦを前記抗体またはＦｃ融合タンパク質から解離させ、未結合の抗体またはＦｃ融合タンパク質を収集する工程。
【請求項１０】
前記ｐＨを溶出条件に下げることおよび濾過または精密濾過により、前記ＩＦを前記抗体またはＦｃ融合タンパク質から分離する、請求項９に記載の方法。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
ＰＤ−１タンパク質に対する免疫応答を刺激するためのＰＤ−１キメラペプチドであって、前記ＰＤ−１キメラペプチドが、
１つ以上のＰＤ−１Ｂ細胞エピトープと、
Ｔヘルパー（Ｔｈ）エピトープと、
前記ＰＤ−１  Ｂ細胞エピトープを前記Ｔｈエピトープに接合するリンカーと、を含み、
前記１つ以上のＰＤ−１Ｂ細胞エピトープが、配列番号２、配列番号３、配列番号４、及び配列番号５からなる群から選択される配列からなる、ＰＤ−１キメラペプチド。
【請求項２】
前記Ｔｈエピトープが、麻疹ウイルス融合タンパク質ペプチドを含む、請求項１に記載のキメラペプチド。
【請求項３】
前記Ｔｈエピトープが、配列番号６を含む、請求項１に記載のキメラペプチド。
【請求項４】
前記リンカーが、配列番号７を含む、請求項１に記載のキメラペプチド。
【請求項５】
前記ペプチドが、配列番号８、配列番号９、配列番号１０、又は配列番号１１に記載のアミノ酸配列を含む、請求項１に記載のキメラペプチド。
【請求項６】
配列番号１２、配列番号１３、配列番号１４、又は配列番号１５に記載の配列のうちの１つ以上を含む、ＰＤ−１タンパク質に対する免疫応答を刺激するための合成ＰＤ−１ペプチド。
【請求項７】
前記合成ＰＤ−１ペプチドを含むアミノ酸が、Ｄ体の鏡像異性体である、請求項６に記載の合成ペプチド。
【請求項８】
請求項６又は７に記載の１種以上の合成ペプチドを含むキメラペプチドであって、
Ｔｈエピトープと、
前記合成ＰＤ−１ペプチドを前記Ｔｈエピトープに接合するリンカーと、を更に含む、キメラペプチド。
【請求項９】
前記Ｔｈエピトープが、麻疹ウイルス融合タンパク質ペプチドを含む、請求項８に記載のキメラペプチド。
【請求項１０】
前記Ｔｈエピトープが、配列番号６を含む、請求項８に記載のキメラペプチド。
【請求項１１】
前記リンカーが、配列番号７を含む、請求項８に記載のキメラペプチド。
【請求項１２】
前記ペプチドが、配列番号１６、配列番号１７、配列番号１８、又は配列番号１９に記載のアミノ酸配列を含む、請求項８に記載のキメラペプチド。
【請求項１３】
前記ペプチドがアセチル化されている、請求項６又は７に記載の合成ペプチド。
【請求項１４】
請求項１〜１３のいずれか一項に記載の、１つ以上のキメラペプチド又は合成ペプチドと、
薬学的に許容されるビヒクルとを含む、医薬組成物。
【請求項１５】
１つ以上のＨＥＲ−２  Ｂ細胞エピトープを更に含む、請求項１４に記載の医薬組成物。
【請求項１６】
前記ＨＥＲ−２  Ｂ細胞エピトープが、配列番号２７又は２９に記載の配列のうちの１つ以上を含む、請求項１５に記載の医薬組成物。
【請求項１７】
前記ＨＥＲ−２  Ｂ細胞エピトープが、配列番号２８又は３０に記載される１つ以上の合成ＨＥＲ−２  Ｂ細胞エピトープを含む、請求項１５に記載の医薬組成物。
【請求項１８】
前記ビヒクルが生分解性であり、かつ、
前記ビヒクルが、
製薬上許容できる油／水エマルションを含むエマルションと、
ポリラクチド−ポリグリコール酸ポリマーを含む生分解性ミクロスフェア又はナノスフィアと、からなる群から選択される、請求項１４に記載の医薬組成物。
【請求項１９】
請求項１〜１３のいずれか一項に記載のキメラ又は合成ペプチドのいずれかに特異的に結合する抗体。
【請求項２０】
被検体における癌、アルツハイマー病、又は自己免疫疾患を治療するためのものである、請求項１〜１９のいずれか一項に記載のペプチド、組成物、又は抗体。
【請求項２１】
被検体における癌、アルツハイマー病、又は自己免疫疾患を治療するためのＰＤ−１キメラペプチドであって、前記ＰＤ−１キメラペプチドが、
１つ以上のＰＤ−１Ｂ細胞エピトープと、
Ｔヘルパー（Ｔｈ）エピトープと、
前記ＰＤ−１  Ｂ細胞エピトープを前記Ｔｈエピトープに接合するリンカーと、を含み、
前記１つ以上のＰＤ−１Ｂ細胞エピトープが、配列番号２、配列番号３、配列番号４、及び配列番号５からなる群から選択される配列からなる、ＰＤ−１キメラペプチド。
【請求項２２】
被検体における癌、アルツハイマー病、又は自己免疫疾患を治療するためのＰＤ−１合成ペプチドであって、
前記ＰＤ−１合成ペプチドが、配列番号２、配列番号３、配列番号４、配列番号５、配列番号１２、配列番号１３、配列番号１４、又は配列番号１５に記載の配列のうちの１つ以上を含む、ＰＤ−１合成ペプチド。
【請求項２３】
前記癌が、リンパ腫、Ｂ細胞リンパ腫、Ｔ細胞リンパ腫、菌状息肉腫、ホジキン病、骨髄性白血病、膀胱癌、脳腫瘍、神経系癌、頭頚部癌、頭頚部扁平上皮癌、肺癌、小細胞肺癌、非小細胞肺癌、神経芽細胞腫、神経膠芽腫、卵巣癌、膵臓癌、前立腺癌、皮膚癌、肝臓癌、黒色癌、口腔、咽喉、喉頭、及び肺の扁平上皮癌、結腸癌、子宮頸癌、子宮頸癌種、乳癌、上皮癌、腎臓癌、泌尿生殖器癌、肺癌、食道癌、頭頚部癌種、大腸癌、造血性癌、精巣癌、前立腺癌、及び膵臓癌からなる癌群から選択される請求項２０〜２２のいずれか一項に記載のペプチド、組成物、又は抗体。
【請求項２４】
前記癌が乳癌である、請求項２３に記載のペプチド、組成物、又は抗体。
【請求項２５】
１つ以上のＨＥＲ−２  Ｂ細胞エピトープを更に含む、請求項２４に記載のペプチド、組成物、又は抗体。
【請求項２６】
前記ＨＥＲ−２  Ｂ細胞エピトープが、配列番号２７又は２９に記載の配列のうちの１つ以上を含む、請求項２５に記載のペプチド、組成物、又は抗体。
【請求項２７】
前記ＨＥＲ−２  Ｂ細胞エピトープが、配列番号２８又は３０に記載の１つ以上の合成ＨＥＲ−２  Ｂ細胞エピトープを含む、請求項２５に記載のペプチド、組成物、又は抗体。
【請求項２８】
前記ＨＥＲ−２  Ｂ細胞エピトープが、前記ＰＤ−１エピトープと同じ組成物内で投与される、請求項２５に記載のペプチド、組成物、又は抗体。
【請求項２９】
前記自己免疫疾患が、乾癬、円形脱毛症、原発性胆汁性肝硬変、多腺性自己免疫症候群、劇症１型糖尿病、自己免疫甲状腺炎、全身性エリテマトーデス、多発性硬化症、ギラン・バレー症候群、グレーブス病、シェーグレン症候群、潰瘍性大腸炎、自己免疫溶血性貧血、悪性貧血症、乾癬性関節炎、リウマチ性関節炎、再発性ポリコンドチン炎、筋腱炎、急性有害性脳脊髄炎、及び多発性血管炎を伴う肉芽腫症からなる群から選択される、請求項２０〜２２のいずれか一項に記載のペプチド、組成物、又は抗体。